(57)【特許請求の範囲】
【請求項１】
ネットワークに接続された複数の伝送装置と、前記ネットワークを介して前記複数の伝送装置を管理する監視制御装置とで構成される伝送装置管理システムにおいて、
前記監視制御装置は、
前記ネットワークを介して前記複数の伝送装置と通信する第１通信部と、
前記複数の伝送装置の装置毎設定情報と、システム全体のネットワーク管理情報とを記憶する第１記憶部と、
前記第１通信部により前記伝送装置と通信して、前記第１記憶部に記憶された前記装置毎設定情報および前記ネットワーク管理情報の少なくとも１つの設定情報を前記複数の伝送装置にバックアップする第１制御部と
を有し、
前記伝送装置は、
前記ネットワークを介して前記監視制御装置と通信する第２通信部と、
自装置の装置毎設定情報を記憶する第２記憶部と、
前記第２通信部により前記監視制御装置と通信して、前記監視制御装置からバックアップされた前記設定情報を前記第２記憶部に記憶する第２制御部と
を有し、
前記第１制御部は、前記第１通信部を介して前記複数の伝送装置の前記第２制御部に前記第２記憶部の空き記憶容量を問い合わせて、前記伝送装置毎の前記第２記憶部の空き記憶容量に応じて前記ネットワーク管理情報を分割した分割データを前記伝送装置に送信すると共に、前記ネットワーク管理情報の分割データと前記伝送装置との対応を分割管理テーブルにより管理し、
前記第２制御部は、前記第２通信部を介して前記第１制御部から問い合わせを受けた場合に、前記第２記憶部の空き記憶容量を前記第１制御部に送信し、前記第１制御部から受信する分割データを前記第２記憶部の空き領域に記憶する
ことを特徴とする伝送装置管理システム。
【請求項２】
請求項１に記載の伝送装置管理システムにおいて、
前記第１制御部は、前記監視制御装置の前記第１記憶部に記憶された前記ネットワーク管理情報に異常が発生した場合、前記第１通信部を介して前記第２制御部の前記第２記憶部に記憶されている分割データを要求し、前記各伝送装置から受信する分割データを前記分割管理テーブルを参照して結合し、結合後の前記ネットワーク管理情報を復元した前記ネットワーク管理情報として前記第１記憶部にリストアし、
前記第２制御部は、前記第２通信部を介して前記第１制御部から分割データを要求された場合に、前記第２記憶部の空き領域に記憶されている分割データを前記第１制御部に送信する
ことを特徴とする伝送装置管理システム。
【請求項３】
請求項１または２に記載の伝送装置管理システムにおいて、
前記第１制御部は、前記複数の伝送装置の前記空き記憶容量のうち最小の記憶容量以下の容量を分割単位として前記ネットワーク管理情報を均等の容量に分割する
ことを特徴とする伝送装置管理システム。
【請求項４】
請求項１から３のいずれか一項に記載の伝送装置管理システムにおいて、
前記第１制御部は、前記第１記憶部に記憶された前記ネットワーク管理情報および前記装置毎設定情報の少なくとも１つを圧縮した圧縮情報を分割し、分割された前記圧縮情報を前記各伝送装置に送信すると共に、前記圧縮情報の分割データと当該圧縮情報を送信した前記伝送装置との対応を前記分割管理テーブルにより管理する
ことを特徴とする伝送装置管理システム。
【請求項５】
請求項１から４のいずれか一項に記載の伝送装置管理システムにおいて、
前記第１制御部は、前記ネットワーク管理情報の分割データまたは前記圧縮情報の分割データと同一の情報を少なくとも２つ以上の前記伝送装置にバックアップする
ことを特徴とする伝送装置管理システム。
【請求項６】
ネットワークに接続された複数の伝送装置と、前記ネットワークを介して前記複数の伝送装置を管理する監視制御装置とで構成される伝送装置管理システムで用いられるデータバックアップ方法において、
前記監視制御装置は、前記複数の伝送装置が自装置の装置毎設定情報を記憶するための第２記憶部の空き記憶容量を前記伝送装置毎に取得して、前記伝送装置毎の前記第２記憶部の空き記憶容量に応じてネットワーク管理情報を分割した分割データを前記伝送装置に送信すると共に、前記ネットワーク管理情報の分割データと前記伝送装置との対応を分割管理テーブルにより管理し、
前記伝送装置は、前記ネットワークを介して前記監視制御装置から前記第２記憶部の空き記憶容量の問い合わせを受けた場合に、前記第２記憶部の空き記憶容量を前記監視制御装置に送信し、前記監視制御装置から受信する分割データを前記第２記憶部の空き領域に記憶する
ことを特徴とするデータバックアップ方法。
【請求項７】
請求項６に記載のデータバックアップ方法において、
前記監視制御装置の前記第１記憶部に記憶された前記ネットワーク管理情報に異常が発生した場合、前記各伝送装置の前記第２記憶部に記憶されている分割データを要求し、前記各伝送装置から受信する分割データを前記分割管理テーブルを参照して結合し、結合後のデータを復元後の前記ネットワーク管理情報として前記第１記憶部をリストアする
ことを特徴とするデータバックアップ方法。
【請求項８】
請求項６または７に記載のデータバックアップ方法において、
前記監視制御装置は、前記複数の伝送装置の前記空き記憶容量のうち最小の記憶容量以下の容量を分割単位として前記ネットワーク管理情報を均等に分割する
ことを特徴とするデータバックアップ方法。
【請求項９】
請求項６から８のいずれか一項に記載のデータバックアップ方法において、
前記監視制御装置は、前記ネットワーク管理情報および前記装置毎設定情報の少なくとも１つを圧縮した圧縮情報を分割し、分割された前記圧縮情報を前記各伝送装置に送信すると共に、前記圧縮情報の分割データと当該圧縮情報を送信した前記伝送装置との対応を前記分割管理テーブルにより管理する
ことを特徴とするデータバックアップ方法。
【請求項１０】
請求項６から９のいずれか一項に記載のデータバックアップ方法において、
前記監視制御装置は、前記ネットワーク管理情報の分割データまたは前記圧縮情報の分割データを少なくとも２つ以上の前記伝送装置にバックアップする
ことを特徴とするデータバックアップ方法。
【発明の詳細な説明】
【技術分野】
【０００１】
本発明は、複数の伝送装置で構成されるネットワークにおいて、伝送装置毎の設定情報やネットワーク全体のネットワーク管理情報などの設定情報を管理する技術に関する。
【背景技術】
【０００２】
従来、複数の伝送装置で構成されるネットワークにおいて、伝送装置毎の設定情報（装置毎設定情報と称する）やネットワーク全体のネットワーク管理情報などの設定情報は、伝送装置の設定変更を行なう場合は装置毎設定情報のみを伝送装置側へ送信し、ネットワーク管理情報は監視制御アプリケーションが搭載されたパソコン（監視制御装置）側の記憶媒体（ハードディスクや不揮発性メモリなど）で保持しておくのが一般的である。
【０００３】
ここで、装置毎設定情報とは各伝送装置を構成するハードウェアが動作するのに必要な情報を示し、ネットワーク管理情報とはユーザが伝送装置の管理を行い易くするための情報で、例えばネットワーク名称情報や装置名称情報、回線名称情報などを示す。そして、ネットワーク管理情報は、様々な名称情報などで構成されることから装置毎設定情報に比べて情報量が大きくなる場合が多い。その為、ネットワーク管理情報は、伝送装置側に搭載された記憶容量に余裕がないメモリではなく、記憶容量に余裕がある監視制御装置側で保持する方式が一般的に用いられている。また、バックアップメモリの異常時のデータ復元技術についても様々な検討が行われている（例えば、特許文献１、２参照）。
【先行技術文献】
【特許文献】
【０００４】
【特許文献１】特開平１１−３１７７４５号公報
【特許文献２】特開２００６−１２１３０９号公報
【発明の概要】
【発明が解決しようとする課題】
【０００５】
一般にネットワークを構成する複数の伝送装置は、共通のハードウェアおよびファームウェアで運用されており、伝送装置の設定情報を保持する不揮発性メモリは固定的に共通のマッピングで割り付けられている。この場合、特に伝送装置間で親局と子局の関係を有するネットワークにおいては、装置毎設定情報の情報量が大きい親局のサイズを基準にしてハード的なメモリサイズを割り当てるので、親局に比べて装置毎設定情報の情報量が小さい子局では未使用の空きメモリエリアが多く存在することになり、無駄である。
【０００６】
一方、監視制御装置側のバックアップ用の外部記憶媒体が故障した場合、各伝送装置が保持している装置毎設定情報に比べて監視制御装置側にしか保持されていないネットワーク管理情報の復元が難しく、また監視制御装置が設置されていない局における急な装置設定の変更作業の必要性が生じた場合、その作業が困難となる場合が生じる。
【０００７】
上記課題に鑑み、本発明の目的は、各伝送装置の空きメモリ領域に情報量の大きいネットワーク管理情報を分割して保存し、監視制御装置側のバックアップ用の外部記憶媒体が故障した場合に各伝送装置に分割して保存されている情報を監視制御装置側で収集して結合することにより、従来方式における問題点を解決し、設定情報の信頼性の向上や保守作業の容易性を実現できる伝送装置管理システムおよびデータバックアップ方法を提供することである。
【課題を解決するための手段】
【０００８】
本発明に係る伝送装置管理システムは、ネットワークに接続された複数の伝送装置と、前記ネットワークを介して前記複数の伝送装置を管理する監視制御装置とで構成される伝送装置管理システムにおいて、前記監視制御装置は、前記ネットワークを介して前記複数の伝送装置と通信する第１通信部と、前記複数の伝送装置の装置毎設定情報と、システム全体のネットワーク管理情報とを記憶する第１記憶部と、前記第１通信部により前記伝送装置と通信して、前記第１記憶部に記憶された前記装置毎設定情報および前記ネットワーク管理情報の少なくとも１つの設定情報を前記複数の伝送装置にバックアップする第２制御部とを有し、前記伝送装置は、前記ネットワークを介して前記監視制御装置と通信する第２通信部と、自装置の装置毎設定情報を記憶する第２記憶部と、前記第２通信部により前記監視制御装置と通信して、前記監視制御装置からバックアップされた前記設定情報を前記第２記憶部に記憶する第２制御部とを有し、前記第１制御部は、前記第１通信部を介して前記複数の伝送装置の前記第２制御部に前記第２記憶部の空き記憶容量を問い合わせて、前記伝送装置毎の前記第２記憶部の空き記憶容量に応じて前記ネットワーク管理情報を分割した分割データを前記伝送装置に送信すると共に、前記ネットワーク管理情報の分割データと前記伝送装置との対応を分割管理テーブルにより管理し、前記第２制御部は、前記第２通信部を介して前記第１制御部から問い合わせを受けた場合に、前記第２記憶部の空き記憶容量を前記第１制御部に送信し、前記第１制御部から受信する分割データを前記第２記憶部の空き領域に記憶することを特徴とする。
【０００９】
特に、前記第１制御部は、前記監視制御装置の前記第１記憶部に記憶された前記ネットワーク管理情報に異常が発生した場合、前記第１通信部を介して前記第２制御部の前記第２記憶部に記憶されている分割データを要求し、前記各伝送装置から受信する分割データを前記分割管理テーブルを参照して結合し、結合後の前記ネットワーク管理情報を復元した前記ネットワーク管理情報として前記第１記憶部にリストアし、前記第２制御部は、前記第２通信部を介して前記第１制御部から分割データを要求された場合に、前記第２記憶部の空き領域に記憶されている分割データを前記第１制御部に送信することを特徴とする。
【００１０】
また、前記第１制御部は、前記複数の伝送装置の前記空き記憶容量のうち最小の記憶容量以下の容量を分割単位として前記ネットワーク管理情報を均等の容量に分割することを特徴とする。
【００１１】
さらに、前記第１制御部は、前記第１記憶部に記憶された前記ネットワーク管理情報および前記装置毎設定情報の少なくとも１つを圧縮した圧縮情報を分割し、分割された前記圧縮情報を前記各伝送装置に送信すると共に、前記圧縮情報の分割データと当該圧縮情報を送信した前記伝送装置との対応を前記分割管理テーブルにより管理することを特徴とする。
【００１２】
また、前記第１制御部は、前記ネットワーク管理情報の分割データまたは前記圧縮情報の分割データと同一の情報を少なくとも２つ以上の前記伝送装置にバックアップすることを特徴とする。
【００１３】
本発明に係るデータバックアップ方法は、ネットワークに接続された複数の伝送装置と、前記ネットワークを介して前記複数の伝送装置を管理する監視制御装置とで構成される伝送装置管理システムで用いられるデータバックアップ方法において、前記監視制御装置は、前記複数の伝送装置が自装置の装置毎設定情報を記憶するための第２記憶部の空き記憶容量を前記伝送装置毎に取得して、前記伝送装置毎の前記第２記憶部の空き記憶容量に応じてネットワーク管理情報を分割した分割データを前記伝送装置に送信すると共に、前記ネットワーク管理情報の分割データと前記伝送装置との対応を分割管理テーブルにより管理し、前記伝送装置は、前記ネットワークを介して前記監視制御装置から前記第２記憶部の空き記憶容量の問い合わせを受けた場合に、前記第２記憶部の空き記憶容量を前記監視制御装置に送信し、前記監視制御装置から受信する分割データを前記第２記憶部の空き領域に記憶することを特徴とする。
【００１４】
特に、前記監視制御装置の前記第１記憶部に記憶された前記ネットワーク管理情報に異常が発生した場合、前記各伝送装置の前記第２記憶部に記憶されている分割データを要求し、前記各伝送装置から受信する分割データを前記分割管理テーブルを参照して結合し、結合後のデータを復元後の前記ネットワーク管理情報として前記第１記憶部をリストアすることを特徴とする。
【００１５】
また、前記監視制御装置は、前記複数の伝送装置の前記空き記憶容量のうち最小の記憶容量以下の容量を分割単位として前記ネットワーク管理情報を均等に分割することを特徴とする。
【００１６】
さらに、前記監視制御装置は、前記ネットワーク管理情報および前記装置毎設定情報の少なくとも１つを圧縮した圧縮情報を分割し、分割された前記圧縮情報を前記各伝送装置に送信すると共に、前記圧縮情報の分割データと当該圧縮情報を送信した前記伝送装置との対応を前記分割管理テーブルにより管理することを特徴とする。
【００１７】
また、前記監視制御装置は、前記ネットワーク管理情報の分割データまたは前記圧縮情報の分割データを少なくとも２つ以上の前記伝送装置にバックアップすることを特徴とする。
【発明の効果】
【００１８】
本発明に係る伝送装置管理システムおよびデータバックアップ方法は、各伝送装置の空きメモリ領域に情報量の大きいネットワーク管理情報を分割して保存し、監視制御装置側のバックアップ用の外部記憶媒体が故障した場合に各伝送装置に分割して保存されている情報を監視制御装置側で収集して結合することにより、従来方式における問題点を解決し、設定情報の信頼性の向上や作業の容易性を実現することができる。特に、メモリの記憶容量を大きくしたり、メモリデバイスの追加を行うことなく、現状のハードウェア構成のままメモリの未使用の空き領域を有効活用して、伝送装置側に分散してデータをバックアップすることにより、設定情報の信頼性を高める効果がある。また、伝送装置側で設定情報の変更を必要とする急な作業が発生した場合でも監視制御装置側にアクセスすることなく必要な情報を取得でき、保守作業の容易性を実現できる。
【図面の簡単な説明】
【００１９】
【図１】伝送装置管理システム１０１の構成例を示す図である。
【図２】監視制御装置１０２および伝送装置１０３の構成例を示す図である。
【図３】分割例１を示す図である。
【図４】分割例２を示す図である。
【図５】ネットワーク管理情報異常時の復元例を示す図である。
【図６】ネットワーク管理情報および伝送装置１０３異常時の復元例を示す図である。
【図７】装置設定情報異常時の復元例を示す図である。
【図８】装置設定情報および伝送装置１０３異常時の復元不可の例を示す図である。
【図９】圧縮分割の一例を示す図である。
【図１０】圧縮分割時の伝送装置１０３異常時の復元例を示す図である。
【図１１】保存処理のフローチャート（１／２）を示す図である。
【図１２】保存処理のフローチャート（２／２）を示す図である。
【図１３】復元処理のフローチャート（１／２）を示す図である。
【図１４】復元処理のフローチャート（２／２）を示す図である。
【発明を実施するための形態】
【００２０】
以下、本発明に係る伝送装置管理システムおよびデータバックアップ方法の実施形態について詳しく説明する。
【００２１】
図１は、本実施形態に係る伝送装置管理システム１０１の構成例を示す図である。図１において、伝送装置管理システム１０１は、監視制御装置１０２と、複数の伝送装置１０３（１０３Ａ、１０３Ｂ、１０３Ｃ、１０３Ｄ）とで構成される。尚、監視制御装置１０２は、監視制御ソフトウェアが搭載されたパソコンなどで構成される監視制御端末である。また、伝送装置１０３には、監視制御を行うための監視制御パッケージが搭載されている。
【００２２】
ここで、以降の説明において、伝送装置１０３Ａ、伝送装置１０３Ｂ、伝送装置１０３Ｃおよび伝送装置１０３Ｄに共通の事項を説明する場合は符号末尾のアルファベットを省略して伝送装置１０３と表記し、特定の伝送装置を示す場合は符号にアルファベットを付加して例えば伝送装置１０３Ａのように表記する。
【００２３】
図１において、伝送装置管理システム１０１は、伝送装置１０３Ａと伝送装置１０３Ｂと伝送装置１０３Ｃと伝送装置１０３Ｄはネットワーク１０４で接続され、伝送装置１０３Ａは専用回線１０５を介して監視制御装置１０２と接続される親局として機能し、伝送装置１０３Ｂと伝送装置１０３Ｃと伝送装置１０３Ｄはネットワーク１０４を介して親局の伝送装置１０３Ａに接続される子局として機能する。ここで、ネットワークを構成する複数の伝送装置（１０３Ａ、１０３Ｂ、１０３Ｃ、１０３Ｄ）は、一般に共通のハードウェアおよびファームウェアで運用され、各伝送装置１０３の設定情報を保持する不揮発性メモリは固定的に共通のマッピングで割り付けられており、特に図１のように伝送装置間で親局と子局の関係を有するネットワーク１０４においては、伝送装置毎の装置設定情報の情報量が大きい親局のメモリサイズを基準にしてハード的なメモリを搭載する。図１の例では、伝送装置（１０３Ａ、１０３Ｂ、１０３Ｃ、１０３Ｄ）は、伝送装置１０３Ａの３ＭＢの情報量に少し余裕を持たせた４ＭＢの容量のメモリが４つの伝送装置１０３に搭載されているので、親局に比べて装置設定情報の情報量が小さい子局では未使用の空きメモリエリアが多く存在することになる。
【００２４】
そこで、本実施形態に係る伝送装置管理システム１０１では、監視制御装置１０２の記憶媒体１５１に記憶される設定情報のバックアップ用として、各伝送装置１０３の空きメモリ容量を利用する。これにより、ハードウェアの追加を行うことなく、設定情報をバックアップすることができ、また監視制御装置１０２に接続されていない局における急な装置設定の変更作業の必要性が生じた場合でも設定情報の参照や更新を行うことができるので作業性を向上することができる。
【００２５】
図１において、伝送装置１０３Ａのメモリ１５２には自装置の３ＭＢの装置設定情報Ａが記憶されて空き容量が１ＭＢ、伝送装置１０３Ｂのメモリ１５３には自装置の１ＭＢの装置設定情報Ｂが記憶されて空き容量が３ＭＢ、伝送装置１０３Ｃのメモリ１５４には自装置の２ＭＢの装置設定情報Ｃが記憶されて空き容量が２ＭＢ、伝送装置１０３Ｄのメモリ１５５には自装置の１ＭＢの装置設定情報Ｄが記憶されて空き容量が３ＭＢである。
【００２６】
また、監視制御装置１０２の記憶媒体１５１は、ハードディスクや大容量の不揮発性メモリなどで構成され、配下の４つの伝送装置１０３の装置設定情報Ａから装置設定情報Ｄと、ネットワーク管理情報とを保持している。
【００２７】
尚、装置設定情報Ａから装置設定情報Ｄは上記で説明した各伝送装置１０３の設定に関する情報で、例えば基盤の実装情報、回線のクロスコネクト情報、外線の規格、警報に関する情報などである。また、ネットワーク管理情報は、ユーザが伝送装置の管理を行い易くするためのネットワーク全体に関連する情報で、例えばネットワーク名称情報（○×ネットワークなど）や装置名称情報（△×局○○△ネットワークなど）、回線名称情報（○○局と××局との電話回線など）などである。このようにネットワーク管理情報は、様々な名称情報などで構成されることから装置設定情報に比べて情報量が大きくなる場合が多く、図１の例では４ＭＢの情報が保持されている。
【００２８】
［監視制御装置１０２の構成例］
次に、監視制御装置１０２の構成例について図２を用いて説明する。図２において、監視制御装置１０２は、制御部２０１と、不揮発性メモリ２０２と、揮発性メモリ２０３と、ＬＡＮＩ／Ｆ２０４とを有する。
【００２９】
制御部２０１は、伝送装置１０３との間でコマンドの送受信を行って管理対象となる伝送装置１０３の装置設定情報を管理し、ネットワーク全体を管理するためのネットワーク管理情報を保持する。或いは、後で説明するように、設定情報をバックアップ／リストアするための圧縮処理や解凍処理などを行う。
【００３０】
不揮発性メモリ２０２は、大容量のフラッシュメモリ（ＦｌａｓｈＲＯＭ）やハードディスク（ＨＤ）などで構成され、ネットワーク管理情報２６１と、管理対象の複数の伝送装置１０３（図１の例では伝送装置１０３Ａ、１０３Ｂ、１０３Ｃ、１０３Ｄ）の装置設定情報（図１の例では装置設定情報Ａから装置設定情報Ｄ）とが記憶されている。
【００３１】
揮発性メモリ２０３は、ＳＲＡＭやＤＲＡＭなどで構成され、制御部２０１が処理を行う際のテーブルを一時的に保持したり、処理用のバッファとして使用する。例えば図２では、揮発性メモリ２０３は、空きメモリ管理テーブル２７１と、分割管理テーブル２７２と、送信バッファ２７３と、受信バッファ２７４と、分割バッファ２７５と、結合バッファ２７６と、圧縮バッファ２７７と、解凍バッファ２７８とを有する。
【００３２】
ＬＡＮＩ／Ｆ２０４は、図１で説明した専用回線１０５を介して親局（図１の例では伝送装置１０３Ａ）に接続するためのＬＡＮインターフェースである。
【００３３】
（制御部２０１の構成例）
制御部２０１は、通信処理部２５１と、コマンド作成／送信部２５２と、コマンド受信／解析部２５３と、分割処理部２５４と、結合処理部２５５とを有する。尚、後で説明するように、圧縮／解凍処理部２５６を更に設けてもよい。
【００３４】
通信処理部２５１は、ＬＡＮＩ／Ｆ２０４で接続された伝送装置１０３との間でコマンドや設定情報の送受信する処理を行う。
【００３５】
コマンド作成／送信部２５２は、伝送装置１０３を制御するためのコマンドを作成して、通信処理部２５１を介して伝送装置１０３に送信する処理を行う。例えばデータをバックアップする保存処理時において、コマンド作成／送信部２５２は、伝送装置１０３の揮発性メモリ３０３の空き容量を問い合わせるコマンドを作成して各伝送装置１０３に送信する処理を行う。或いは、コマンド作成／送信部２５２は、揮発性メモリ２０３の分割管理テーブル２７２を参照し、対応する伝送装置１０３に分割データを送信するための分割データ送信コマンドを作成して分割データを送信する処理を行う。尚、分割データ送信コマンドに当該分割データがどの部分のデータであるかを示す情報を格納してもよい。また、データをリストアする復元処理時において、コマンド作成／送信部２５２は、揮発性メモリ２０３の分割管理テーブル２７２を参照し、取得したい分割データを保持する伝送装置１０３から分割データを取得するための分割データ収集コマンドを作成して当該伝送装置１０３に送信する処理を行う。
【００３６】
分割管理テーブル２７２は、例えば、どの部分の分割データであるかを示す情報、例えばネットワーク管理情報２６１を４分割した場合、４分割した中の１番目のデータを示す”１／４”などの情報と、そのデータ量（例えば１ＭＢなど）の情報とが含まれている。そして、コマンド受信／解析部２５３は、分割管理テーブル２７２に伝送装置１０３の識別子と分割データのどの部分を保持しているかを示す情報とを対応させて記憶する。例えばネットワーク管理情報２６１の”１／４”の１ＭＢを伝送装置１０３Ａに、”２／４”の１ＭＢを伝送装置１０３Ｂに、”３／４”の１ＭＢを伝送装置１０３Ｃに、”４／４”の１ＭＢを伝送装置１０３Ｄに、それぞれ対応させた分割管理テーブル２７２を作成する。
【００３７】
ここで、本実施形態では、各伝送装置１０３の装置設定情報は、既に監視制御装置１０２の不揮発性メモリ２０２に保存されているものとして説明する。例えば伝送装置１０３Ａの装置設定情報Ａは、伝送装置１０３Ａの不揮発性メモリ３０２に装置設定情報３６１として記憶されていると共に、同じ装置設定情報Ａは監視制御装置１０２の不揮発性メモリ２０２にも装置設定情報Ａとして保存されている。他の伝送装置１０３についても同様である。また、ネットワーク管理情報は、既に監視制御装置１０２の不揮発性メモリ２０２にネットワーク管理情報２６１として、管理者によって保存されているものとする。
【００３８】
コマンド受信／解析部２５３は、通信処理部２５１を介して伝送装置１０３から空きメモリ容量の問い合わせ応答コマンドを受信して解析する処理を行う。ここで、問い合わせ応答コマンドには、伝送装置１０３の識別子（例えばＭＡＣアドレス、装置ＩＤ、装置名称など）と、当該伝送装置１０３の不揮発性メモリ３０２の空きメモリ容量とが格納されている。そして、コマンド受信／解析部２５３は、空きメモリ管理テーブル２７１に伝送装置１０３の識別子と空きメモリ容量とを対応させて記憶する。尚、過去の当該伝送装置１０３の空きメモリ容量が記憶されている場合は、上書きして更新する処理を行う。
【００３９】
また、コマンド受信／解析部２５３は、通信処理部２５１を介して伝送装置１０３から分割データ送信応答コマンドを受信して解析する処理を行う。ここで、分割データ送信応答コマンドには、伝送装置１０３の識別子と、当該伝送装置１０３の不揮発性メモリ３０２に保存された分割データとが格納されている。尚、分割データ送信応答コマンドに当該分割データがどの部分のデータであるかを示す情報を格納してもよい。
【００４０】
分割処理部２５４は、不揮発性メモリ２０２に保持しているネットワーク管理情報２６１や各伝送装置１０３の装置設定情報を各伝送装置１０３に送信してバックアップするために、各情報を分割する処理を行う。ここで、分割処理を行う場合に、各伝送装置１０３に保存しようとするデータ（ネットワーク管理情報２６１や各伝送装置１０３の装置設定情報）は揮発性メモリ２０３の分割バッファ２７５に一時的に保持され、分割バッファ２７５上で分割処理が行われる。そして、保存データを分割後、揮発性メモリ２０３の分割管理テーブル２７２を更新する。分割管理テーブル２７２は、先に説明したように、伝送装置１０３の識別子と分割データのどの部分を保持しているかを示す情報との対応を示すテーブルである。尚、過去の分割管理テーブル２７２に既に対応する伝送装置１０３が記憶されている場合は、上書きして更新する処理を行う。
【００４１】
結合処理部２５５は、復元処理時において、分割管理テーブル２７２を参照して、コマンド受信／解析部２５３が各伝送装置１０３から受信した分割データを結合する処理を行う。例えば分割管理テーブル２７２によって、ネットワーク管理情報２６１の”１／４”の１ＭＢを伝送装置１０３Ａに、”２／４”の１ＭＢを伝送装置１０３Ｂに、”３／４”の１ＭＢを伝送装置１０３Ｃに、”４／４”の１ＭＢを伝送装置１０３Ｄに、それぞれ保存されていることがわかるので、伝送装置１０３Ａから収集した分割データＡと、伝送装置１０３Ｂから収集した分割データＢと、伝送装置１０３Ｃから収集した分割データＣと、伝送装置１０３Ｄから収集した分割データＤとを結合する際に、揮発性メモリ２０３の結合バッファ２７６を用いて、分割データＡ＋分割データＢ＋分割データＣ＋分割データＤの順番に結合処理を行って、ネットワーク管理情報２６１を復元する。
【００４２】
圧縮／解凍処理部２５６は、保存処理時において、保存するデータを圧縮バッファ２７７上で圧縮処理する。尚、圧縮方法は予め設定された方式を用いる。そして、圧縮された保存データは、先に説明した分割処理部２５４で分割処理され、各伝送装置１０３に保存される。また、圧縮／解凍処理部２５６は、復元処理時において、結合処理部２５５により結合されたデータを解凍バッファ２７８上で解凍処理する。尚、解凍方法は圧縮方法に対応する予め設定された方式を用いる。そして、解凍されたデータは、不揮発性メモリ２０２の対応する情報として復元される。
【００４３】
このようにして、監視制御装置１０２は、不揮発性メモリ２０２に記憶するネットワーク管理情報２６１や各伝送装置１０３の装置設定情報を複数の伝送装置１０３の不揮発性メモリ３０２の空きメモリ領域に分割または圧縮後に分割してバックアップすることができる。
【００４４】
［伝送装置１０３の構成例］
次に、伝送装置１０３の構成例について図２を用いて説明する。図２において、伝送装置１０３は、制御部３０１と、不揮発性メモリ３０２と、揮発性メモリ３０３と、ＬＡＮＩ／Ｆ３０４と、装置間通信部３０５とを有する。
【００４５】
制御部３０１は、監視制御装置１０２との間でコマンドの送受信を行ってネットワーク管理情報や他の伝送装置１０３の装置設定情報を分割された分割データを受信して、不揮発性メモリ３０２の空きメモリ領域に保存する処理を行う。或いは、空きメモリ領域に保存された分割データを読み出して監視制御装置１０２に送信する処理を行う。尚、制御部３０１の構成については後で詳しく説明する。
【００４６】
不揮発性メモリ３０２は、フラッシュメモリ（ＦｌａｓｈＲＯＭ）などで構成され、自装置の装置設定情報３６１と、分割管理情報３６２とが記憶されている。尚、分割管理情報３６２については後で詳しく説明するが、監視制御装置１０２に保持されるネットワーク管理情報を分割したネットワーク管理情報や、各伝送装置１０３の装置設定情報を分割して圧縮された分割圧縮設定情報で構成される。また、この時点では空きメモリエリアには何も記憶されていないものとする。
【００４７】
揮発性メモリ３０３は、ＳＲＡＭやＤＲＡＭなどで構成され、送信バッファ３７１と、受信バッファ３７２とを有する。
【００４８】
ＬＡＮＩ／Ｆ３０４は、ＬＡＮインターフェースで、図１の例では、親局である伝送装置１０３ＡのＬＡＮＩ／Ｆ３０４に専用回線１０５が接続され、監視制御装置１０２との間で通信を行う。例えば、伝送装置１０３Ｂが親局である場合は伝送装置１０３ＢのＬＡＮＩ／Ｆ３０４に専用回線１０５が接続され、監視制御装置１０２との間で通信を行う。尚、専用回線１０５はＬＡＮである必要はなく、この場合は専用回線１０５の物理回線に適したインターフェースを搭載する。
【００４９】
装置間通信部３０５は、ネットワーク１０４に接続するための回路で、複数の伝送装置１０３間でデータを送受信する。
【００５０】
（制御部３０１の構成例）
制御部３０１は、通信処理部３５１と、コマンド受信／解析部３５２と、コマンド作成／送信部３５３と、メモリ管理部３５４とを有する。
【００５１】
通信処理部３５１は、ＬＡＮＩ／Ｆ３０４で接続された監視制御装置１０２との間でコマンドや設定情報の送受信する処理を行う。
【００５２】
コマンド受信／解析部３５２は、保存処理において、通信処理部３５１を介して監視制御装置１０２から受信する空きメモリ容量の問い合わせコマンドを受信して解析する処理を行う。そして、コマンド受信／解析部３５２は、メモリ管理部３５４に不揮発性メモリ３０２の空きメモリ容量を問い合わせる処理を行う。また、コマンド受信／解析部３５２は、通信処理部３５１を介して監視制御装置１０２から分割データ送信コマンドを受信して解析する処理を行う。そして、分割データ送信コマンドに含まれる分割データを例えば不揮発性メモリ３０２の空きメモリ領域に分割管理情報３６２として保存する処理を行う。例えばネットワーク管理情報２６１の”１／４”の１ＭＢを分割データＡを受信する場合、一旦、受信する分割データＡを揮発性メモリ３０３の受信バッファ３７２に一時的に保持した後、分割管理情報３６２として不揮発性メモリ３０２に記憶する処理を行う。
【００５３】
さらに、コマンド受信／解析部３５２は、復元処理において、監視制御装置１０２から分割データを収集するための分割データ収集コマンドを受信して解析する処理を行う。そして、コマンド受信／解析部３５２は、メモリ管理部３５４に分割データの有無を問い合わせる処理を行う。
【００５４】
コマンド作成／送信部３５３は、保存処理において、コマンド受信／解析部３５２によるメモリ管理部３５４への空きメモリ容量の問い合わせに対する応答を受け取って、空きメモリ容量問い合わせ応答コマンドを作成して監視制御装置１０２に送信する。ここで、先に説明したように、問い合わせ応答コマンドには、伝送装置１０３の識別子（例えばＭＡＣアドレス、装置ＩＤ、装置名称など）と、当該伝送装置１０３の不揮発性メモリ３０２の空きメモリ容量とが格納されている。また、コマンド作成／送信部３５３は、分割データ送信応答コマンドを作成して監視制御装置１０２に送信する処理を行う。ここで、先に説明したように、分割データ送信応答コマンドには、伝送装置１０３の識別子と、当該伝送装置１０３の不揮発性メモリ３０２に保存された分割データとが格納されている。
【００５５】
さらに、コマンド作成／送信部３５３は、復元処理において、監視制御装置１０２から受信した分割データ収集コマンドに応答する分割データ収集応答コマンドを作成して送信する処理を行う。ここで、先に説明したように、分割データ送信応答コマンドには、伝送装置１０３の識別子と、当該伝送装置１０３の不揮発性メモリ３０２に保存された分割データとが格納されている。
【００５６】
メモリ管理部３５４は、保存処理において、コマンド受信／解析部３５２による空きメモリ容量の問い合わせに応じて、不揮発性メモリ３０２の空きメモリ容量を確認して、コマンド作成／送信部３５３に応答する処理を行う。また、メモリ管理部３５４は、復元処理において、コマンド受信／解析部３５２による分割データの有無の問い合わせに応じて、不揮発性メモリ３０２の分割管理情報３６２を確認して、分割データの有無をコマンド作成／送信部３５３に応答する処理を行う。
【００５７】
このようにして、監視制御装置１０２の不揮発性メモリ２０２に記憶するネットワーク管理情報２６１や各伝送装置１０３の装置設定情報の分割データまたは圧縮された分割データを複数の伝送装置１０３の不揮発性メモリ３０２の空きメモリ領域に保存してバックアップすることができる。そして、復元時には、監視制御装置１０２からの分割データの問い合わせに応じて、自装置が保持するバックアップデータを監視制御装置１０２に送信し、監視制御装置１０２のデータが異常になった場合でも復元することができる。しかも、本実施形態に係る伝送装置管理システム１０１では、メモリの増設など新たなハードウェアを設けることなく、データのバックアップを行うことができ、各設定情報の信頼性を向上することができる。
【００５８】
［分割例１］
次に、本実施形態に係る伝送装置管理システム１０１における分割例１について図３を用いて説明する。図３は、監視制御装置１０２の不揮発性メモリ２０２に保持されるネットワーク管理情報２６１と、装置設定情報（装置設定情報Ａ，装置設定情報Ｂ，装置設定情報Ｃ，装置設定情報Ｄ）とのうち、４ＭＢのネットワーク管理情報２６１を１ＭＢずつに等分割した分割データを伝送装置１０３Ａから伝送装置１０３Ｄまでの４つの伝送装置１０３の不揮発性メモリ３０２の空き領域に保存する様子を示した図である。ここで、各伝送装置１０３の不揮発性メモリ３０２の容量を４ＭＢとする。
【００５９】
図３において、伝送装置１０３Ａの自装置の装置設定情報Ａは３ＭＢなので、１ＭＢが未使用の空き領域である。同様に、伝送装置１０３Ｂの装置設定情報Ｂは１ＭＢで空き領域は３ＭＢ、伝送装置１０３Ｃの装置設定情報Ｃは２ＭＢで空き領域は２ＭＢ、伝送装置１０３Ｄの装置設定情報Ｄは１ＭＢで空き領域は３ＭＢである。また、監視制御装置１０２の不揮発性メモリ２０２には、上記の各伝送装置１０３の装置設定情報と、４ＭＢのネットワーク管理情報２６１とが保持されている。
【００６０】
ここで、伝送装置１０３の空きメモリ容量が一番小さいものは、親局の伝送装置１０３Ａの１ＭＢなので、４ＭＢのネットワーク管理情報２６１を伝送装置１０３の数で等分割した１ＭＢの分割データを保持することができる。そこで、１ＭＢの分割データＡを伝送装置１０３Ａ、１ＭＢの分割データＢを伝送装置１０３Ｂ、１ＭＢの分割データＣを伝送装置１０３Ｃ、１ＭＢの分割データＤを伝送装置１０３Ｄにそれぞれ割り当てて保存する。尚、図３では、分割データＡを分割Ａ、分割データＢを分割Ｂ、分割データＣを分割Ｃ、分割データＤを分割Ｄと表記している。
【００６１】
このようにして、本実施形態に係る伝送装置管理システム１０１では、監視制御装置１０２のネットワーク管理情報２６１を複数の伝送装置１０３で分割してバックアップすることができる。これにより、監視制御装置１０２側のネットワーク管理情報２６１に異常が発生した場合でも各伝送装置１０３に保存されているネットワーク管理情報２６１を収集して復元することができる。
【００６２】
［分割例２］
次に、本実施形態に係る伝送装置管理システム１０１における分割例２について図４を用いて説明する。図４は、図３と同様の図で、監視制御装置１０２の不揮発性メモリ２０２に保持されるネットワーク管理情報２６１と、装置設定情報（装置設定情報Ａ，装置設定情報Ｂ，装置設定情報Ｃ，装置設定情報Ｄ）とのうち、４ＭＢのネットワーク管理情報２６１を１ＭＢと３ＭＢとに分割した分割データを伝送装置１０３Ａから伝送装置１０３Ｄまでの４つの伝送装置１０３に重複して保存する様子を示した図である。尚、図３において、分割Ａ／Ｃは、伝送装置１０３Ａと伝送装置１０３Ｃに保存する分割データであることを示し、分割Ｂ／Ｄは、伝送装置１０３Ｂと伝送装置１０３Ｄに保存する分割データであることを示す。
【００６３】
図３の例では、伝送装置１０３Ａの１ＭＢの空き領域には１ＭＢの分割データを保存し、伝送装置１０３Ｂおよび伝送装置１０３Ｄの３ＭＢの空き領域には３ＭＢの分割データを保存し、伝送装置１０３Ｃの２ＭＢの空き領域には１ＭＢの分割データを保存する。
【００６４】
このようにして、本実施形態に係る伝送装置管理システム１０１では、監視制御装置１０２のネットワーク管理情報２６１を分割した分割データを複数の伝送装置１０３で重複してバックアップすることができる。これにより、図５に示すように、監視制御装置１０２側のネットワーク管理情報２６１に異常が発生した場合でも各伝送装置１０３に保存されているネットワーク管理情報２６１を収集して復元することができる。
【００６５】
特に、複数の伝送装置１０３に重複して同じバックアップデータが保存されているので、例えば図６に示すように、監視制御装置１０２側のネットワーク管理情報２６１に異常が発生し、且つ、伝送装置１０３Ｂおよび伝送装置１０３Ｃに異常が発生した場合でも、伝送装置１０３Ｂおよび伝送装置１０３Ｃと同じバックアップデータを伝送装置１０３Ａおよび伝送装置１０３Ｄから収集することができるので、分割例１よりも更に設定情報の信頼性を向上することができる。
【００６６】
［分割例３］
次に、伝送装置１０３の装置設定情報をバックアップする例について説明する。図７は、監視制御装置１０２の不揮発性メモリ２０２に記憶されている伝送装置１０３の装置設定情報（装置設定情報Ａ，装置設定情報Ｂ，装置設定情報Ｃ，装置設定情報Ｄ）に異常が発生した場合の復元例を示す図である。図７において、監視制御装置１０２の装置設定情報Ｂと装置設定情報Ｃに異常が発生した場合は、当該伝送装置１０３Ｂおよび伝送装置１０３Ｃが保持する自装置の装置設定情報を収集して復元することができる。この方法は、従来においても行うことができる復元方法である。ところが、図６で説明したような異常が伝送装置１０３Ｂおよび伝送装置１０３Ｃに発生した場合、図８にしめすように、監視制御装置１０２の不揮発性メモリ２０２の伝送装置１０３Ｂの装置設定情報Ｂおよび伝送装置１０３Ｃの装置設定情報Ｃを復元することはできないという問題があった。
【００６７】
そこで、本実施形態に係る伝送装置管理システム１０１では、図９に示すように、監視制御装置１０２の不揮発性メモリ２０２に保持されるネットワーク管理情報２６１と全ての装置設定情報とを圧縮した後、分割して各伝送装置１０３にバックアップする。
【００６８】
図９において、監視制御装置１０２の不揮発性メモリ２０２には、４ＭＢのネットワーク管理情報２６１と４つの伝送装置１０３の装置設定情報の合計７ＭＢの装置設定情報との合計１１ＭＢの情報が保存されている。これを例えば３０％の圧縮率で圧縮処理を行った場合、１１ＭＢ×０．３＝３．３ＭＢとなり、約４ＭＢ以下の情報に圧縮することができる。尚、ネットワーク管理情報２６１は名称などテキストデータが多いので一般的に３０％程度の圧縮は可能である。
【００６９】
そして、約４ＭＢの設定情報圧縮データを分割した１ＭＢの圧縮分割データＡ／Ｃと、３ＭＢの圧縮分割データＢ／Ｄとを作成して、図４の例と同様に、複数の伝送装置１０３に重複してバックアップする。ここで、圧縮分割Ａ／Ｃは、伝送装置１０３Ａと伝送装置１０３Ｃに保存する圧縮された分割データであることを示し、圧縮分割Ｂ／Ｄは、伝送装置１０３Ｂと伝送装置１０３Ｄに保存する圧縮された分割データであることを示す。
【００７０】
このようにして、本実施形態に係る伝送装置管理システム１０１では、監視制御装置１０２のネットワーク管理情報２６１および装置設定情報を圧縮して分割した圧縮分割データを複数の伝送装置１０３で重複してバックアップすることができる。これにより、図１０に示すように、伝送装置１０３Ｂおよび伝送装置１０３Ｃに異常が発生した場合でも、伝送装置１０３Ｂおよび伝送装置１０３Ｃと同じバックアップデータを伝送装置１０３Ａおよび伝送装置１０３Ｄから収集することができる。
【００７１】
［保存処理］
次に、監視制御装置１０２と伝送装置１０３との間で行われる保存処理の流れについて、図１１および図１２のフローチャートを用いて説明する。尚、図１１および図１２において、監視制御装置１０２の処理を左側のフローチャート、伝送装置１０３の処理を右側のフローチャートにそれぞれ記載する。
（ステップＳ１０１）監視制御装置１０２のコマンド作成／送信部２５２は、空きメモリ容量の問い合わせコマンドを作成して伝送装置１０３に送信する。
（ステップＳ１０２）伝送装置１０３のコマンド受信／解析部３５２は、空きメモリ容量の問い合わせコマンドを受信して、メモリ管理部３５４に空きメモリ容量を問い合わせる。
（ステップＳ１０３）メモリ管理部３５４は、不揮発性メモリ３０２の空きメモリ容量を確認してコマンド作成／送信部３５３に応答する。
（ステップＳ１０４）コマンド作成／送信部３５３は、メモリ管理部３５４から受け取った空きメモリ容量を通知するための空きメモリ容量問い合わせ応答コマンド作成して監視制御装置１０２に送信する。
（ステップＳ１０５）監視制御装置１０２のコマンド受信／解析部２５３は、伝送装置１０３から空きメモリ容量の問い合わせ応答コマンドを受信して当該伝送装置１０３の空きメモリ容量がいくらかを解析し、伝送装置１０３毎の空きメモリ容量を管理するための空きメモリ管理テーブル２７１を更新する。尚、初めて記憶する場合は新たに空きメモリ管理テーブル２７１に登録する。
（ステップＳ１０６）監視制御装置１０２の圧縮／解凍処理部２５６は、伝送装置１０３に保存するデータを圧縮バッファ２７７上で圧縮する。尚、圧縮処理を行わない場合は、本ステップを省略する。
【００７２】
ここで、監視制御装置１０２のフローチャートは、図１１の（Ａ）から図１２の（Ａ）に続き、伝送装置１０３のフローチャートは、図１１の（Ｂ）から図１２の（Ｂ）に続く。
【００７３】
以下、保存処理の続きを図１２のフローチャートに従って説明する。
（ステップＳ１０７）監視制御装置１０２の分割処理部２５４は、伝送装置１０３に保存するデータ（ステップＳ１０６で圧縮した場合は圧縮されたデータ）を分割バッファ２７５に一時的に保持する。そして、分割処理部２５４は、空きメモリ管理テーブル２７１を参照して、分割の割合を決定し分割バッファ２７５に保持されている保存データを分割する。そして、分割処理部２５４は、伝送装置１０３と分割された保存データとを対応を示す分割管理テーブル２７２を更新する。
（ステップＳ１０８）コマンド作成／送信部２５２は、分割管理テーブル２７２を参照して、伝送装置毎に対応する分割データを送信するための分割データ送信コマンドを作成して各伝送装置１０３に送信する。
（ステップＳ１０９）伝送装置１０３のコマンド受信／解析部３５２は、監視制御装置１０２から分割データ送信コマンドを受信して、同コマンドに含まれる分割データを自装置の不揮発性メモリ３０２の空きメモリ領域に保存する。
（ステップＳ１１０）コマンド作成／送信部３５３は、受信した分割データを保存したことを示す分割データ送信応答コマンドを作成して監視制御装置１０２に送信する。
（ステップＳ１１１）監視制御装置１０２のコマンド受信／解析部２５３は、伝送装置１０３から分割データ送信応答コマンドを受信して、分割データが当該伝送装置１０３に保存されていることを示す情報（分割データの内容と伝送装置１０３との対応を示す情報）を分割管理テーブル２７２に記憶する。尚、既に前回の情報が記憶されている場合は、当該情報の更新を行う。
【００７４】
このようにして、監視制御装置１０２から伝送装置１０３にネットワーク管理情報２６１や装置設定情報のバックアップを行うことができる。
【００７５】
［復元処理］
次に、監視制御装置１０２と伝送装置１０３との間で行われる復元処理の流れについて、図１３および図１４のフローチャートを用いて説明する。尚、図１３および図１４においても図１１および図１２と同様に、監視制御装置１０２の処理を左側のフローチャート、伝送装置１０３の処理を右側のフローチャートにそれぞれ記載する。
（ステップＳ２０１）監視制御装置１０２のコマンド作成／送信部２５２は、分割管理テーブル２７２を参照して、収集しようとする分割データを保持する伝送装置１０３を確定する。そして、分割データ収集コマンドを作成して当該伝送装置１０３に送信する。
（ステップＳ２０２）伝送装置１０３のコマンド受信／解析部３５２は、分割データ収集コマンドを受信して、メモリ管理部３５４に当該分割データの有無を問い合わせる。
（ステップＳ２０３）メモリ管理部３５４は、分割データの有無の確認してコマンド作成／送信部３５３に応答する。
（ステップＳ２０４）コマンド作成／送信部３５３は、メモリ管理部３５４から分割データの有無の確認結果が有の場合は、当該分割データを読み出して分割データ収集応答コマンド作成して監視制御装置１０２に送信する。尚、メモリ管理部３５４から分割データの有無の確認結果が無の場合は、要求された分割データが無いことを示す分割データ収集応答コマンド作成して監視制御装置１０２に送信する。
（ステップＳ２０５）監視制御装置１０２のコマンド受信／解析部２５３は、伝送装置１０３から分割データ収集応答コマンドを受信して、結合バッファ２７６に一時的に保持する。尚、分割データが無いことを示す分割データ収集応答コマンドを受信した場合は、分割管理テーブル２７２の当該伝送装置１０３と分割データとの対応を削除し、分割データが有る場合は当該伝送装置１０３と分割データとの対応を改めて更新する。また、分割データが無い場合は同じ分割データを保持する他の伝送装置１０３から分割データを収集するようにしてもよいし、管理者にエラーを通知してもよい。
【００７６】
ここで、ステップＳ２０２からステップＳ２０５までの処理を必要な分割データを収集するまで繰り返す。
（ステップＳ２０６）制御部２０１は、必要な全ての分割データの収集が完了したか否かを判別し、全ての分割データを収集し終えた場合は図１３の（Ｃ）から図１４の（Ｃ）のフローチャートに進み、全ての分割データが収集されていない場合はステップＳ２０７に進む。
（ステップＳ２０７）制御部２０１は、分割データを取得するための次の伝送装置１０３が有るか否かを判別し、有の場合はステップＳ２０１に戻って次の伝送装置１０３から分割データを取得する処理を繰り返し、無の場合は異常終了して管理者に通知する。
【００７７】
ここで、監視制御装置１０２のフローチャートは、図１３の（Ｃ）から図１４の（Ｃ）に続き、伝送装置１０３のフローチャートは、図１３の（Ｄ）から図１４の（Ｄ）に続く。
【００７８】
以下、復元処理の続きを図１４のフローチャートに従って説明する。
（ステップＳ２０８）監視制御装置１０２の結合処理部２５５は、分割管理テーブル２７２を参照して、結合バッファ２７６に一時的に保持されている分割データが元の情報のどの部分であるかを確認し、結合バッファ２７６上で複数の伝送装置１０３から収集した分割データを結合する処理を行う。
（ステップＳ２０９）制御部２０１は、結合されたデータが圧縮された設定情報であるか否かを判別する。尚、圧縮情報であるか否かの判別は、一般的に用いられている圧縮データと同様に、圧縮方式と共に圧縮データであるという情報が圧縮データのヘッダなどに含まれているものとする。そして、圧縮された設定情報である場合はステップＳ２１０に進み、圧縮されていない設定情報である場合は、ステップＳ２１１に進む。
（ステップＳ２１０）監視制御装置１０２の圧縮／解凍処理部２５６は、結合バッファ２７６に一時的に保持されている結合されたデータを解凍バッファ２７８上で解凍する。
【００７９】
ここで、伝送装置管理システム１０１において、圧縮してバックアップする処理を利用しない場合は、ステップＳ２０９およびステップＳ２１０の処理は省略してもよい。
（ステップＳ２１１）制御部２０１は、監視制御装置１０２の不揮発性メモリ２０２の設定情報（ネットワーク管理情報２６１または装置設定情報）を復元する。尚、設定情報の復元は、圧縮しない場合は結合バッファ２７６に一時的に保持されている結合データを不揮発性メモリ２０２の該当する設定情報の記憶領域に復元する。圧縮する場合は解凍バッファ２７８に一時的に保持されている解凍データを不揮発性メモリ２０２の該当する設定情報の記憶領域に復元する。
【００８０】
このようにして、伝送装置１０３に分散してバックアップされている設定情報を監視制御装置１０２の不揮発性メモリ２０２に復元することができる。
［現地での保守作業時の処理］
次に、現地で保守作業する際に、ネットワーク管理情報などを確認する必要がある場合、自装置のバックアップデータを参照することによって、監視制御装置１０２の管理者に問い合わせる必要がなく、現地での保守作業の容易性を実現できる。
【００８１】
例えば伝送装置１０３Ｂが設置されている現地でＬＡＮＩ／Ｆ３０４に保守端末などを接続して不揮発性メモリ３０２の空きメモリ領域に記憶されているバックアップデータのネットワーク管理情報を確認することができる。また、伝送装置１０３Ｂに無い情報は、装置間通信部３０５を介して他の伝送装置１０３にバックアップされている情報を取得することにより、必要な情報を取得でき、保守作業の容易性を実現できる。
【００８２】
ここで、通常、親局である伝送装置１０３Ａは監視制御装置１０２から情報を得ることができるが、子局である伝送装置１０３Ｂ、伝送装置１０３Ｃおよび伝送装置１０３Ｄは、監視制御装置１０２から情報を直接取得する仕組みにはなっていない場合が多いので、本実施形態に係る伝送装置管理システム１０１のように分割データを各伝送装置１０３側で保持することにより、現地での保守時に参照して有効に活用することができる。
【００８３】
以上、説明してきたように、本実施形態に係る伝送装置管理システム１０１は、各伝送装置１０３の空きメモリ領域に情報量の大きいネットワーク管理情報を分割して保存し、監視制御装置１０２側のバックアップ用の不揮発性メモリ２０２の情報が異常になった場合に各伝送装置１０３に分割して保存されている情報を監視制御装置１０２側で収集して結合することにより、設定情報の信頼性の向上や作業の容易性を実現することができる。特に、伝送装置１０３や監視制御装置１０２のメモリの記憶容量を大きくしたり、メモリデバイスの新たな追加などを行うことなく、現状のハードウェア構成のまま伝送装置１０３の不揮発性メモリ３０２の未使用の空きメモリ領域を有効活用して、伝送装置１０３側に分散してデータをバックアップすることにより、設定情報の信頼性を高める効果がある。また、伝送装置１０３側で設定情報の変更を必要とする急な作業が発生した場合でも監視制御装置１０２側にアクセスすることなく、伝送装置１０３に分散して記憶されているバックアップデータを現地でＬＡＮＩ／Ｆ３０４に保守端末などを接続して確認することができ、保守作業の容易性を実現できる。
【００８４】
以上、本発明に係る伝送装置管理システムおよびデータバックアップ方法について、各実施例を挙げて説明してきたが、その精神またはその主要な特徴から逸脱することなく他の多様な形で実施することができる。そのため、上述した実施例はあらゆる点で単なる例示に過ぎず、限定的に解釈してはならない。本発明は、特許請求の範囲によって示されるものであって、本発明は明細書本文にはなんら拘束されない。さらに、特許請求の範囲の均等範囲に属する変形や変更は、全て本発明の範囲内である。
【符号の説明】
【００８５】
１０１・・・伝送装置管理システム
１０２・・・監視制御装置
１０３・・・伝送装置
１０４・・・ネットワーク
１０５・・・専用回線
１５１・・・記憶媒体
１５２，１５３，１５４，１５５・・・メモリ
２０１・・・制御部
２０２・・・不揮発性メモリ
２０３・・・揮発性メモリ
２０４・・・ＬＡＮＩ／Ｆ
２５１・・・通信処理部
２５２・・・コマンド作成／送信部
２５３・・・コマンド受信／解析部
２５４・・・分割処理部
２５５・・・結合処理部
２５６・・・圧縮／解凍処理部
２６１・・・ネットワーク管理情報
２７１・・・空きメモリ管理テーブル
２７２・・・分割管理テーブル
２７３・・・送信バッファ
２７４・・・受信バッファ
２７５・・・分割バッファ
２７６・・・結合バッファ
２７７・・・圧縮バッファ
２７８・・・解凍バッファ
３０１・・・制御部
３０２・・・不揮発性メモリ
３０３・・・揮発性メモリ
３０４・・・ＬＡＮＩ／Ｆ
３０５・・・装置間通信部
３５１・・・通信処理部
３５２・・・コマンド受信／解析部
３５３・・・コマンド作成／送信部
３５４・・・メモリ管理部
３６１・・・装置設定情報
３６２・・・分割管理情報
３７１・・・送信バッファ
３７２・・・受信バッファ
【図１】
0005713267.tif 000002
【図２】
0005713267.tif 000003
【図３】
0005713267.tif 000004
【図４】
0005713267.tif 000005
【図５】
0005713267.tif 000006
【図６】
0005713267.tif 000007
【図７】
0005713267.tif 000008
【図８】
0005713267.tif 000009
【図９】
0005713267.tif 000010
【図１０】
0005713267.tif 000011
【図１１】
0005713267.tif 000012
【図１２】
0005713267.tif 000013
【図１３】
0005713267.tif 000014
【図１４】
0005713267.tif 000015